(57)【要約】【課題】サムターンへの室外からの不正な操作を防止することのできるサムターン保護装置の提供を目的とする。【解決手段】扉体１に固定され、該扉体１表面に露出するサムターン２の周囲を包囲する筒部３と、前記筒部３の前方開放端を開放可能に閉塞するキャップ体４とを有して構成する。【選択図】  図２
2004225241.tif 000002
【特許請求の範囲】
【請求項１】
扉体に固定され、該扉体表面に露出するサムターンの周囲を包囲する筒部と、
前記筒部の前方開放端を開放可能に閉塞するキャップ体とを有するサムターン保護装置。
【請求項２】
前記キャップ体は、筒部に回転自在に軸支されるとともに、
キャップ体の軸支部には、該キャップ体を所定の開放角度で節度停止させる角度規制部が形成される請求項１記載のサムターン保護装置。
【請求項３】
前記筒部は、テレスコープ状に伸縮自在な複数の筒体からなる請求項１または２記載のサムターン保護装置。
【請求項４】
前記筒部は、縮退方向に付勢される請求項３記載のサムターン保護装置。
【発明の詳細な説明】
【０００１】
【発明の属する技術分野】
本発明は、サムターン保護装置に関するものである。
【０００２】
【従来の技術】
扉体内に収容、固定される箱錠のデッドボルトを室内から進退操作し、扉体の施解錠を行うサムターン装置としては、特許文献１に記載されたものが知られている。
【０００３】
この従来例において、サムターン装置は、扉体の室内側表面に固定されるサムターン台座に対して回転操作可能なサムターン（操作摘み）を備える。サムターンには端部が箱錠のデッドボルト操作孔に挿入されるサムターン軸が固定されており、サムターンを回転させることにより扉体の施解錠を行うことができる。
【０００４】
【特許文献１】
実用新案登録第２５５３００８号公報
【０００５】
【発明が解決しようとする課題】
しかし、上述した従来例には、以下の欠点がある。すなわち、扉体には通常来客者等を確認するためのスコープ、郵便受けが配置され、さらには、扉体と框との間には隙間があるために、これらを利用して針金等の工具、あるいは紐を室内側に侵入させ、サムターンに直接回転操作を行うことを完全に防止することはできない。
【０００６】
本発明は、以上の欠点を解消すべくなされたものであって、サムターンへの室外からの不正な操作を防止することのできるサムターン保護装置の提供を目的とする。
【０００７】
【課題を解決するための手段】
本発明によれば上記目的は、
扉体１に固定され、該扉体１表面に露出するサムターン２の周囲を包囲する筒部３と、
前記筒部３の前方開放端を開放可能に閉塞するキャップ体４とを有するサムターン保護装置を提供することにより達成される。
【０００８】
図２に示すように、本発明において、扉体１への装着状態において、筒部３はサムターン２の側方周囲を包囲してサムターン２の側方空間を遮蔽する。この結果、上記側方空間を利用したサムターン２への不正操作、例えば、側方空間内を針金、あるいは紐等を移動させてサムターン２に直接回転操作力を与えることが不可能になる。
【０００９】
また、上記筒部３の前方開放端はキャップ体４により閉塞されるために、前方への開放部からのサムターン２へのアクセスも禁止される。さらに、このキャップ体４は筒部３の前方開放端を開放可能に閉塞するために、在室者は簡単にキャップ体４による閉塞を解除し、サムターン２を操作することができる。
【００１０】
キャップ体４は、筒部３に着脱して該筒部３の前方開放端を開閉することも可能であるが、予め筒部３に脱離不能、かつ回転自在に連結しておくと、紛失等のおそれがなくなる。この場合、キャップ体４の軸支部に、該キャップ体４を所定の開放角度で節度停止させる角度規制部１４を形成しておくと、キャップ体４による筒部３の閉塞を解除してサムターン２を操作する際に、キャップ体４が閉塞側に不用意に回転してサムターン２を操作しにくくすることがなくなるために、使い勝手が向上する。
【００１１】
また、筒部３は一体で形成することも可能であるが、テレスコープ状に伸縮自在に形成すると、サムターン２を隠蔽しない状態でのサムターン２の操作性を向上させることが可能になる。この場合、筒部３を縮退方向に付勢すると、キャップ体４を装着しない場合には、自動的に縮退するために、使い勝手が向上する。
【００１２】
【発明の実施の形態】
図１〜４に本発明の実施の形態を示す。この実施の形態において保護されるサムターン装置６は、サムターンカバー６ａから前方に突出する板状のサムターン２を有し、サムターン２を回転させると、扉体１内に配置された図外の箱錠のデッドボルトが進退操作され、扉体１の施解錠がなされる。
【００１３】
サムターン保護装置Ａは、筒部３と、キャップ体４とからなる。筒部３は、下端に内向きフランジ３ａを備えた固定用筒体５Ａと、この固定用筒体５Ａの外周壁に沿って前後方向に摺動自在な可動筒体５Ｂとからなる。固定用筒体５Ａは、サムターン装置６のサムターンカバー６ａをほぼ全高に渡って覆う高さを有しており、上端に外向きフランジ３ｂが設けられる。
【００１４】
この固定用筒体５Ａは、内向きフランジ３ａが扉体１表面とサムターン装置６のサムターンカバー６ａの後端縁との間に挟み込まれて所定位置に固定される。また、固定用筒体５Ａの下端には、リング体７が固定され、可動筒体５Ｂのストッパ用当たり面を提供する。
【００１５】
可動筒体５Ｂは、前方に向けて漸次拡径する円錐形中空筒体であり、下端に形成した内向きのストッパフランジ３ｃと上記固定用筒体５Ａの外向きフランジ３ｂにより上下端が支承される圧縮コイルバネ８により後方、すなわちストッパフランジ３ｃがリング体７に衝接する方向に付勢される。
【００１６】
また、可動筒体５Ｂの上端面には外方に突出する２個の舌片９ａ、９ｂが設けられる。これら舌片９ａ、９ｂの一方９ａには連結フック１０が前方に向けて突設され、他方９ｂには、錠杆挿通孔１１が開設される。
【００１７】
一方、キャップ体４は、後述するように係止フック４ａの弾発係止を容易にするために、合成樹脂材により形成され、前方に向けて縮経し、前端面が閉塞された有底の截頭円錐形状を有する。このキャップ体４は、前方に引き出された上記可動筒体５Ｂに連結して可動筒体５Ｂの正面を閉塞した際に、サムターン装置６を筒部３と協働して完全に覆うことができる程度の深さ寸法に形成される。
【００１８】
キャップ体４を可動筒体５Ｂに連結するために、キャップ体４の後端縁には、可動筒体５Ｂの舌片９ａ、９ｂに対応する舌片１２ａ、１２ｂが形成される。これら舌片１２ａ、１２ｂのうち一方１２ａには上記連結フック１０への係止孔４ｂが開設されるとともに、他方１２ｂには可動筒体５Ｂ側の舌片９ｂに弾発係止する係止フック４ａが形成される。また、この係止フック４ａが形成される舌片１２ｂには、可動筒体５Ｂ側の舌片９ｂに形成される錠杆挿通孔１１に連通する錠杆挿通孔４ｃが開設される。
【００１９】
したがってこの実施の形態において、就寝時、あるいは外出時等、サムターン２を操作しないときには、図２（ａ）に示すように、キャップ体４を筒部３に装着してサムターン２を隠蔽することにより、室外からサムターン２を直接操作して解錠操作をすることができなくすることができる。
【００２０】
キャップ体４の装着は、可動筒体５Ｂを前方に引き出した状態でキャップ体４を可動筒体５Ｂの連結フック１０に係止し、次いで、連結フック１０との係止部位を回転中心としてキャップ体４を回転させて係止フック４ａを可動筒体５Ｂ側の舌片９ｂに押し付けるだけで簡単に行うことができ、舌片９ｂに押し付けられた係止フック４ａは一旦弾性変形して舌片９ｂを乗り越えた後、弾性復元力により原形に復帰し、以後、係止状態を維持する。
【００２１】
また、この状態で、図２（ａ）に示すように、錠杆挿通孔４ｃ、１１を利用して例えば南京錠等の施錠装置１３を装着すると、キャップ体４の除去は完全に不可能となるために、より安全性が向上する。
【００２２】
この状態からサムターン２を操作する場合には、図３に示すように、まずキャップ体４の係止フック４ａを可動筒体５Ｂの舌片９ｂから外し、さらに、連結フック１０との係止を解除してキャップ体４を可動筒体５Ｂから取り外す。キャップ体４を取り外すと、図４に示すように、可動筒体５Ｂは、圧縮コイルバネ８の復元力により後方に移動し、サムターン２が露出するために、容易にサムターン２に回転操作を与えて扉体１を解錠することができる。
【００２３】
なお、以上においては、筒部３を可動筒体５Ｂと固定用筒体５Ａにより形成する場合を示したが、図５に示すように、筒部３を一体に形成することも可能である。この場合、筒部３の下端には、内向きフランジ３ａが形成され、筒部３は内向きフランジ３ａをサムターン装置６のサムターンカバー６ａと扉体１表面との間に挟み込んで扉体１表面に固定される。
【００２４】
キャップ体４は、図５（ａ）に示すように、平板状に形成することも可能であるが、図５（ｂ）に示すように、適宜の深さを持たせると、キャップ体４を取り外した際のサムターン２の露出寸法が大きくなるために、サムターン２への操作がしやすくなる。なお、図５（ｂ）に示すキャップ体４は図２に示すキャップ体４と同一に形成され、図５（ｂ）に示す筒部３の前端は、図２の可動筒体５Ｂの前端と同一に構成される。
【００２５】
さらに、キャップの筒部３への装着は、図２、５（ｂ）に示すように、弾発係止させるものであっても、あるいは図５（ａ）に示すように、圧入するものであってもよい。
【００２６】
図６〜８に本発明の他の実施の形態を示す。この実施の形態において、キャップ体４は筒部３に回転自在、かつ、脱離不能に連結され、開閉端側には、筒部３の舌片９ｂに弾発係止する係止フック４ａが形成される。
【００２７】
また、キャップ体４と筒部３との軸支部側には角度規制部１４が形成される。角度規制部１４は、キャップ体４側に形成される圧接平面４ｄと、筒部３側に形成される第１、第２平面３ｄ、３ｅとから構成される。これら第１、第２平面３ｄ、３ｅは、キャップ体４が筒部３を閉塞する姿勢から１８０°回転して扉体１表面に平行姿勢で筒部３を開放する姿勢、そして、これからさらに扉体１表面側に回転した姿勢において圧接平面４ｄに圧接する位置に形成される。
【００２８】
したがってこの実施の形態において、図７に示すように、係止フック４ａを舌片９ｂに係止させることによりキャップ体４による筒部３の閉塞姿勢が維持される。この状態から、係止フック４ａの係止を解除し、キャップ体４に回転操作を加えると、回転中心１５からの距離（Ｌｄ）が筒部３側の円弧部３ｆまでの距離（Ｌｆ）より小さな圧接平面４ｄが筒部３側の円弧部３ｆを押し付けるようにして回転中心１５周りに適度の摺動抵抗をもちながら回転し、水平姿勢まで回転すると、図８（ａ）に示すように、圧接平面４ｄが第１平面３ｄに正対する。第１平面３ｄと回転中心１５との距離は圧接平面４ｄまでの距離（Ｌｄ）に等しいために、円弧部３ｆ上を摺接しながら移動してきた圧接平面４ｄは、第１平面３ｄに落ち込むようにして当接することから、当該水平姿勢への移行には適度のクリック感（節度感）を伴い、さらに、水平姿勢から移動するためには、再び円弧部３ｆに乗り上げる必要があるために、この位置から妄りに回転することがない。
【００２９】
この後、さらにキャップ体４を回転させると、図８（ｂ）に示すように、圧接平面４ｄが第２平面３ｅに正対する位置で再び節度停止する。この位置においてキャップ体４は、扉体１の開閉に伴う衝撃が加えられても、閉塞位置まで回転することはないために、サムターン２の操作の邪魔になることが防止される。
【００３０】
なお、以上説明した実施の形態は、図１〜４で示した実施の形態においてもそのまま適用可能である。
【００３１】
【発明の効果】
以上の説明から明らかなように、本発明によれば、サムターンへの室外からの不正な操作を防止することのできるために、防犯性を向上させることができる。
【図面の簡単な説明】
【図１】本発明を示す分解斜視図である。
【図２】扉体への装着状態を示す図で、（ａ）は断面図、（ｂ）はキャップ体の図２（ａ）における２Ｂ方向矢視図である。
【図３】キャップ体の取り外し方法を示す図である。
【図４】キャップ体を取り外した状態を示す図である。
【図５】図２の変形例を示す図である。
【図６】本発明の他の実施の形態を示す斜視図である。
【図７】扉体への装着状態を示す図で、（ａ）は断面図、（ｂ）は（ａ）の７Ｂ部拡大図である。
【図８】角度規制部の動作を示す図で、（ａ）はキャップ体が水平姿勢の時を示す部分拡大断面図、（ｂ）はキャップ体がさらに扉体側に回転した状態を示す部分拡大図である。
【符号の説明】
１        扉体
２        サムターン
３        筒部
４        キャップ体
５        筒体
１４      角度規制部
【図１】
2004225241.tif 000003
【図２】
2004225241.tif 000004
【図３】
2004225241.tif 000005
【図４】
2004225241.tif 000006
【図５】
2004225241.tif 000007
【図６】
2004225241.tif 000008
【図７】
2004225241.tif 000009
【図８】
2004225241.tif 000010